(57)【特許請求の範囲】
【請求項１】
荷物を収納する本体の底部の収納部に本体を覆うことができるレインカバーを収納したリュックサックにおいて、前記レインカバーの上端に設けられた伸縮性を有する帯体と、前記本体に取り付けられた背負い帯に設けられた被嵌合部材と、前記帯体に設けられ、前記被嵌合部材に嵌合する嵌合部材とを具備したことを特徴とするリュックサック。
【請求項２】
前記嵌合部材は帯体における取付位置を変更することができることを特徴とする請求項１記載のリュックサック。
【請求項３】
前記被嵌合部材は略Ｄ字形状に形成されており、前記嵌合部材は被嵌合部材に挿通可能であることを特徴とする請求項１又は２記載のリュックサック。
【発明の詳細な説明】
【０００１】
【発明の属する技術分野】
本発明は、リュックサック、詳しくは荷物を収納する本体の底部の収納部に本体を覆うことができるレインカバーを収納したリュックサックに関する。
【０００２】
【従来の技術】
リュックサックは、荷物を収納する本体に雨がかからないようにするためのレインカバーが必須である。このレインカバーは、本体をすっぽりと覆うことができるように袋状になっており、開口部の縁部には本体から外れないようにするためのゴム紐が設けられている。このレインカバーは、本体と別体になっているタイプと、本体と一体になっているタイプとがある。
【０００３】
本体と一体になっているタイプのレインカバーは、本体の底部に設けられた収納部にその一端が連結帯体を介して縫製等で固定されている。雨が降った時には、収納部からレインカバーを取り出して本体を覆うようにするのである。この本体と一体になったレインカバーは、本体に縫製されているため紛失するおそれがないとともに、不使用時には収納部に収納され、使用時にはすぐさまに取り出せるという利点がある。
【０００４】
【発明が解決しようとする課題】
しかしながら、本体と一体になっているタイプのレインカバーは、単に本体を覆うだけであるので、本体から外れやすいという問題点がある。また、本体に収納した荷物が多い場合には本体全部を覆いきれないという問題点もある。
【０００５】
本発明は上記事情に鑑みて創案されたもので、本体と一体になったレインカバーを有していても、本体から外れにくく、収納する荷物が多い場合でも本体全体を覆うことができるレインカバーを有するリュックサックを提供することを目的としている。
【０００６】
【課題を解決するための手段】
本発明に係るリュックサックは、荷物を収納する本体の底部の収納部に本体を覆うことができるレインカバーを収納したリュックサックであって、前記レインカバーの上端に設けられた伸縮性を有する帯体と、前記本体に取り付けられた背負い帯に設けられた被嵌合部材と、前記帯体に設けられ、前記被嵌合部材に嵌合する嵌合部材とを備えている。
【０００７】
また、前記嵌合部材は帯体における取付位置を変更することができるのが望ましい。
【０００８】
さらに、前記被嵌合部材は略Ｄ字形状に形成されており、前記嵌合部材は被嵌合部材に挿通可能になっている。
【０００９】
【発明の実施の形態】
図１は本発明の実施の形態に係るリュックサックの概略的正面斜視図、図２は本発明の実施の形態に係るリュックサックの概略的背面斜視図、図３は本発明の実施の形態に係るリュックサックに用いられる被嵌合部材の概略的斜視図、図４は本発明の実施の形態に係るリュックサックに用いられる嵌合部材の図面であって、同図（Ａ）は概略的正面図、同図（Ｂ）は帯体を通した状態の概略的斜視図、図５は本発明の実施の形態に係るリュックサックの被嵌合部材に嵌合部材を挿通させた状態の概略的斜視図、図６は本発明の実施の形態に係るリュックサックのレインカバーと収納部との関係を示す概略的斜視図である。
【００１０】
本発明の実施の形態に係るリュックサックは、荷物を収納する本体１００の底部の収納部１２０に本体１００を覆うことができるレインカバー２００を収納したリュックサックであって、前記レインカバー２００の上端に設けられた伸縮性を有する帯体２１０と、前記本体１００に取り付けられた背負い帯１１０に設けられた被嵌合部材３００と、前記帯体２１０に設けられ、前記被嵌合部材３００に嵌合する嵌合部材４００とを有している。
【００１１】
このリュックサックの本体１００は、上側が開口した袋体になっている。そして、この本体１００の底部には、図６（Ａ）に示すように、スライドファスナー１５０で開閉自在になった本体１００とは別個の収納部１２０が設けられている。前記スライドファスナー１５０は、スライダー１５１が２つ設けられたいわゆるダブルスライダータイプのものである。また、この本体１００の外側には、前記収納部１２０とは別の複数個のポケット１３０が設けられている。
【００１２】
また、この本体１００の背中側には、一対の背負い帯１１０が設けられている。この背負い帯１１０に両腕を通すことでリュックサックを背負うのである。前記背負い帯１１０の肩部、すなわちリュックサックを背負った時に両肩に当たる部分の外側には被嵌合部材３００が取り付けられている。
【００１３】
この被嵌合部材３００は、合成樹脂で形成された略Ｄ字形状になったいわゆるＤ環と称されるものである。この被嵌合部材３００は、被嵌合部材３００の真っ直ぐに形成された部分３１０を跨いだ取付帯体１１１を背負い帯１１０に縫製することで背負い帯１１０に取り付けられるのである。
【００１４】
一方、前記レインカバー２００は、一端が縫製によって連結帯体２２０を介して収納部１２０の内部において本体１００に取り付けられている。このレインカバー２００は、従来のものと同様に、本体１００をすっぽりと覆うことができるように袋状になっており、開口部の縁部には本体１００から外れないようにするためのゴム紐（図示省略）が設けられている。
【００１５】
また、このレインカバー２００の上端部には、一対のゴム帯等の伸縮性を有する帯体２１０が縫製等で取り付けられている。この帯体２１０は、レインカバー２００で本体１００を覆った状態で、両肩の近傍に位置する場所に取り付けられている。また、この帯体２１０には、図４に示すような略日字形状の嵌合部材４００が嵌め込まれている。この嵌合部材４００は合成樹脂から構成されており、前記被嵌合部材３００に挿通可能なサイズに形成されている。
【００１６】
前記嵌合部材４００の帯体２１０への取り付けは次のように行われる。図４（Ｂ）に示すように、帯体２１０の先端が、最も上側の横棒４１０の下側を潜って、最も上側の横棒４１０と中間の横棒４２０との間の隙間４４０に抜け、中間の横棒４２０及び最も下側の横棒４３０の上を通り、中間の横棒４２０と最も上側の横棒４１０との間の隙間４４０を潜って最も上側の横棒４１０の上を通るのである。これで、帯体２１０は嵌合部材４００に取り付けられる。帯体２１０を緩めることによって、嵌合部材４００は帯体２１０をスライドして移動することができるので、嵌合部材４００の帯体２１０への取付位置は任意に変更することができるようになっている。
【００１７】
次に、本発明の実施の形態に係るリュックサックの使用方法について説明する。
雨が降っていない時、すなわちレインカバー２００を使用しない時には、レインカバー２００は収納部１２０の内部に収納されている。雨が降ってレインカバー２００を使用する場合には、収納部１２０からレインカバー２００を取り出す。そして、収納部１２０のスライドファスナー１５０を閉じる。このスライドファスナー１５０は２つのスライダー１５１が設けられているので、２つのスライダー１５１を中央部にスライドさせれば、図６（Ｂ）に示すように、２つのスライダー１５１の間の隙間Ｇから連結帯体２２０が出るので、レインカバー２００を取り出した状態でも収納部１２０を閉じることができる。
【００１８】
レインカバー２００で本体１００を覆う。そして、レインカバー２００に取り付けられている帯体２１０の被嵌合部材３００に嵌合部材４００を挿通させる。
すると、レインカバー２００は、上側においては嵌合部材４００と被嵌合部材３００とで、下側においては連結帯体２２０によって本体１００に固定されることになる。
【００１９】
荷物が多い場合には、前記帯体２１０がゴム等の伸縮性を有するものから構成されているため、帯体２１０が伸びることによって本体１００を覆うことができる。また、より荷物が多い場合には、被嵌合部材３００の帯体２１０への取付位置を変更することで対応する。
【００２０】
上述した実施の形態に係るリュックサックでは、被嵌合部材３００は略Ｄ字形状をしたいわゆるＤ環であり、嵌合部材４００は略日字形状に形成されていると説明したが、他の部材、例えばホックやスナップアクションで嵌まり込むものであってもよい。ただし、この場合には、嵌合部材４００と被嵌合部材３００ととが対応するものでなければならないことは勿論である。
【００２１】
【発明の効果】
本発明に係るリュックサックは、荷物を収納する本体の底部の収納部に本体を覆うことができるレインカバーを収納したリュックサックであって、前記レインカバーの上端に設けられた伸縮性を有する帯体と、前記本体に取り付けられた背負い帯に設けられた被嵌合部材と、この被嵌合部材に嵌合する嵌合部材が前記帯体に設けられている。
【００２２】
従って、このリュックサックであると、レインカバーは使用時に下側と上側とで本体に固定されるので、従来のように単に本体を覆うレインカバーのように外れることがない。また、帯体が伸縮性を有するものから構成されているので、荷物が多い場合にも本体を確実に覆うことができる。
【００２３】
また、前記嵌合部材は帯体における取付位置を変更することができるようになっている。このため、より荷物が多い場合には、帯体における嵌合部材の取付位置を変更することで対応することが可能である。
【００２４】
さらに、前記被嵌合部材は略Ｄ字形状に形成されており、前記嵌合部材は被嵌合部材に挿通可能であると、嵌合部材を被嵌合部材に挿通させるだけで両者の嵌合が行われるので大変便利である。
【図面の簡単な説明】
【図１】本発明の実施の形態に係るリュックサックの概略的正面斜視図である。
【図２】本発明の実施の形態に係るリュックサックの概略的背面斜視図である。
【図３】本発明の実施の形態に係るリュックサックに用いられる被嵌合部材の概略的斜視図である。
【図４】本発明の実施の形態に係るリュックサックに用いられる嵌合部材の図面であって、同図（Ａ）は概略的正面図、同図（Ｂ）は帯体を通した状態の概略的斜視図である。
【図５】本発明の実施の形態に係るリュックサックの被嵌合部材に嵌合部材を挿通させた状態の概略的斜視図である。
【図６】本発明の実施の形態に係るリュックサックのレインカバーと収納部との関係を示す概略的斜視図である。
【符号の説明】
１００    本体
１１０    背負い帯
１２０    収納部
２００    レインカバー
２１０    帯体
３００    被嵌合部材
４００    嵌合部材
【図１】
0004554069.tif 000002
【図２】
0004554069.tif 000003
【図３】
0004554069.tif 000004
【図４】
0004554069.tif 000005
【図５】
0004554069.tif 000006
【図６】
0004554069.tif 000007